(57)【要約】【課題】作品ごとに適したあらすじの提示タイミングを判定して自動であらすじを提示するあらすじ提示システム、サーバーおよびメディア提示装置を提供する。【解決手段】本発明の一形態のあらすじ提示システム５０に構築されるサーバー２０は、電子書籍端末１０に提示されたメディアの閲覧に関するユーザーの操作情報を受信してメディアごとに操作情報を統計化する統計部２２を備える。そして、或るユーザーが当該メディアの閲覧再開をおこなった際には、サーバー２０のあらすじ表示判定部２３が当該統計情報を用いてあらすじを自動表示するか否かを判定する。【選択図】図１
2014038373.tif 000002
【特許請求の範囲】
【請求項１】
メディアを提示するメディア提示装置と、サーバーとを備えているあらすじ提示システムであって、
上記サーバーは、
ネットワークを介して上記メディア提示装置に設けられた通信手段と通信するサーバー通信手段と、
メディア提示装置に提示されているメディアに関して、当該メディアの識別情報と、当該提示されているメディアの閲覧者による閲覧中断の日時を示す情報と、中断終了の日時を示す情報と、当該メディアのあらすじがメディア提示装置に提示されるよう当該閲覧者が当該中断終了以後に当該メディア提示装置を操作したか否かを示す情報とを含む閲覧操作記録を、複数の上記メディア提示装置から取得する第一取得手段と、
上記第一取得手段が取得した上記閲覧操作記録に基づいて、閲覧中断期間と、メディアのあらすじが中断終了以後の所定時間内にメディア提示装置に提示されるようにメディア提示装置を操作した閲覧者数とを統計化して、中断終了に際して上記あらすじを自動的にメディア提示装置に提示させる場合の当該閲覧中断期間の長さに関する統計情報をメディアごとに作成する統計手段と、
或るメディア提示装置に提示されている或るメディアの識別情報と、当該或るメディアの閲覧者による閲覧中断の日時を示す情報と、中断終了の日時を示す情報とを或るメディア提示装置から取得する第二取得手段と、
上記統計手段の上記統計情報と、上記第二取得手段が取得した情報とに基づいて、第二取得手段から取得される中断終了に際して上記あらすじを自動的に上記メディア提示装置に提示させるか否かを判定する判定手段と、
を備え、
上記メディア提示装置は、
メディアを提示するメディア提示手段と、
あらすじを提示するあらすじ提示手段と、
上記メディア提示手段に提示された上記メディアを閲覧する閲覧者が、当該閲覧の中断を操作する際および当該中断を終了する際に操作する操作手段であって、当該メディアのあらすじを上記あらすじ提示手段に提示するために当該閲覧者が操作する操作手段と、
上記操作手段の操作結果に基づいて、上記メディアの識別情報と、上記閲覧を中断した日時を示す情報と、当該中断を終了した日時を示す情報とを、記録する記録手段と、
上記操作手段の操作結果および上記記録手段の記録結果を上記サーバー通信手段へ送信する上記通信手段であって、上記サーバーの上記判定手段の判定結果を上記サーバー通信手段から受信する上記通信手段と、
を備えていることを特徴とするあらすじ提示システム。
【請求項２】
メディアを提示するメディア提示装置と、サーバーとを備えているあらすじ提示システムであって、
上記サーバーは、
ネットワークを介して上記メディア提示装置に設けられた通信手段と通信するサーバー通信手段と、
メディア提示装置に提示されているメディアに関して、当該メディアの識別情報と、当該提示されているメディアの閲覧者による閲覧中断の日時を示す情報と、中断終了の日時を示す情報と、当該メディアのあらすじがメディア提示装置に提示されるよう当該閲覧者が当該中断終了以後に当該メディア提示装置を操作したか否かを示す情報とを含む閲覧操作記録を、複数の上記メディア提示装置から取得する第一取得手段と、
上記第一取得手段が取得した上記閲覧操作記録に基づいて、閲覧中断期間と、メディアのあらすじが中断終了以後の所定時間内にメディア提示装置に提示されるようにメディア提示装置を操作した閲覧者数とを統計化して、当該中断終了に際して上記あらすじを自動的にメディア提示装置に提示させる場合の当該閲覧中断期間の長さに関する統計情報をメディアごとに作成する統計手段と、
を備え、
上記メディア提示装置は、
メディアを提示するメディア提示手段と、
あらすじを提示するあらすじ提示手段と、
上記メディア提示手段に提示された上記メディアを閲覧する閲覧者が、当該閲覧の中断を操作する際および当該中断を終了する際に操作する操作手段であって、当該メディアのあらすじを上記あらすじ提示手段に提示するために当該閲覧者が操作する操作手段と、
上記操作手段の操作結果に基づいて、上記メディアの識別情報と、上記閲覧を中断した日時を示す情報と、当該中断を終了した日時を示す情報とを、記録する記録手段と、
上記操作手段の操作結果および上記記録手段の記録結果を上記サーバー通信手段へ送信する上記通信手段であって、上記サーバーの上記統計手段の上記統計情報を上記サーバー通信手段から受信する上記通信手段と、
上記メディア提示手段に提示されている或るメディアの識別情報と、当該或るメディアを閲覧している閲覧者による閲覧中断の日時を示す情報と、中断終了の日時を示す情報とを上記記録手段から取得するとともに、上記サーバーの上記統計手段から上記統計情報を取得する第二取得手段と、
上記第二取得手段が取得した情報に基づいて、当該第二取得手段から取得される中断終了に際して上記あらすじを自動的に上記あらすじ提示手段に提示させるか否かを判定する判定手段と、
を備えていることを特徴とするあらすじ提示システム。
【請求項３】
上記記録手段は、閲覧を中断したときのメディアにおける中断箇所を示す情報も記録し、
上記第一取得手段は、上記複数のメディア提示装置から上記中断箇所を示す情報も受信し、
上記統計手段は、メディアごとに、上記中断箇所と、上記閲覧の中断期間と、当該中断期間の終了時点から所定時間内に上記あらすじを閲覧者が手動でメディア提示装置に提示させた閲覧者数とを統計化して、当該中断の終了に際して上記あらすじを自動的にメディア提示装置に提示させる場合の当該中断期間の長さに関する統計情報をメディアごとに作成する、
ことを特徴とする請求項１または２に記載のあらすじ提示システム。
【請求項４】
上記統計手段は、
閲覧者によるあらすじ提示の操作のうち、中断終了に関連している操作であるものだけを選別する選別部と、
あらすじ提示の操作を行った閲覧者のうち、上記選別部で選別した操作をおこなった閲覧者数を、当該あらすじ提示の操作を行った閲覧者の総数で徐算した値であるあらすじ提示率を求めるあらすじ提示率算出部と、
上記あらすじ提示率算出部の上記あらすじ提示率と、上記第一取得手段が取得した上記閲覧操作記録に基づく上記閲覧中断期間とを対応させたあらすじ提示率データを作成するあらすじ提示率データ作成部と、
を有しており、
上記判定手段は、
上記第二取得手段が取得した情報から閲覧中断期間を求める期間算出部と、
上記期間算出部の上記閲覧中断期間に基づいて上記あらすじ提示率データから或るあらすじ提示率を取得するあらすじ提示率取得部と、
上記或るあらすじ提示率が閾値以上であるか否かを判定して、当該閾値以上であれば、上記第二取得手段から取得される中断終了に際して上記あらすじを自動的に提示させる判定部と、
を有している、
ことを特徴とする請求項１から３までの何れか１項に記載のあらすじ提示システム。
【請求項５】
上記メディアは、電子書籍とすることを特徴とする請求項１から４までの何れか１項に記載のあらすじ提示システム。
【請求項６】
メディア提示装置と通信するサーバーであって、
ネットワークを介して上記メディア提示装置に設けられた通信手段と通信するサーバー通信手段と、
メディア提示装置に提示されているメディアに関して、当該メディアの識別情報と、当該提示されているメディアの閲覧者による閲覧中断の日時を示す情報と、中断終了の日時を示す情報と、当該メディアのあらすじがメディア提示装置に提示されるよう当該閲覧者が当該中断終了以後に当該メディア提示装置を操作したか否かを示す情報とを含む閲覧操作記録を、複数の上記メディア提示装置から取得する第一取得手段と、
上記第一取得手段が取得した上記閲覧操作記録に基づいて、閲覧中断期間と、メディアのあらすじが中断終了以後の所定時間内にメディア提示装置に提示されるようにメディア提示装置を操作した閲覧者数とを統計化して、中断終了に際して上記あらすじを自動的にメディア提示装置に提示させる場合の当該閲覧中断期間の長さに関する統計情報をメディアごとに作成する統計手段と、
或るメディア提示装置に提示されている或るメディアの識別情報と、当該或るメディアの閲覧者による閲覧中断の日時を示す情報と、中断終了の日時を示す情報とを或るメディア提示装置から取得する第二取得手段と、
上記統計手段の上記統計情報と、上記第二取得手段が取得した情報とに基づいて、第二取得手段から取得される中断終了に際して上記あらすじを自動的に上記メディア提示装置に提示させるか否かを判定する判定手段と、
を備えていることを特徴とするサーバー。
【請求項７】
請求項６に記載のサーバーと通信するメディア提示装置であって、
メディアを提示するメディア提示手段と、
あらすじを提示するあらすじ提示手段と、
上記メディア提示手段に提示された上記メディアを閲覧する閲覧者が、当該閲覧の中断を操作する際および当該中断を終了する際に操作する操作手段であって、当該メディアのあらすじを上記あらすじ提示手段に提示するために当該閲覧者が操作する操作手段と、
上記操作手段の操作結果に基づいて、上記メディアの識別情報と、上記閲覧を中断した日時を示す情報と、当該中断を終了した日時を示す情報とを、記録する記録手段と、
上記操作手段の操作結果および上記記録手段の記録結果を上記サーバー通信手段へ送信する上記通信手段であって、上記サーバーの上記判定手段の判定結果を上記サーバー通信手段から受信する上記通信手段と、
を備えていることを特徴とするメディア提示装置。
【発明の詳細な説明】
【技術分野】
【０００１】
本発明は、電子文章データ、映画、ゲームなどを提示（表示）するメディア提示装置、メディア提示装置においてユーザーが当該メディアの視聴を中断した後に再開した場合に、視聴済の内容のダイジェスト（あらすじ）を自動で提示するあらすじ提示システム、サーバーおよびメディア提示装置に関するものである。
【背景技術】
【０００２】
小説などの書籍が電子化処理された電子文章データ、映画、ゲームなどをメディア提示装置に提示（表示）して視聴するスタイルが広く普及し、様々なメディア表示装置が開発されている。
【０００３】
また、例えば、電子文章データを閲覧するいわゆる電子書籍と称されるメディア提示装置では、電子文書データを、所定の単位の文章群毎に分割し、文書群ごとに、それまでのあらすじなどの解説文を予め準備しておき、電子文書データを表示中に、一旦表示を中断し、装置の電源を切った後、再び電源を入れた際に、前回電源断された時点に表示されていた部分の文章群までのあらすじのデータを表示するものが知られている。これにより、前回電源を切った部分までの内容を、閲覧者が速やかに思い出して、該電子文書データの読書の再開をスムーズに行うことができるようにしている。特許文献１および２は、このような「あらすじ表示」を行なうタイプの装置について開示している。
【０００４】
特許文献１の装置は、途中まで再生を終えた映像信号の続き部分の再生を行う際には、まず、番組のジャンルと再生中断からの経過時間とを検出する。そして、番組のジャンルがドラマ、映画、ドキュメンタリー等のタイプ（１）の番組である場合には、再生中断からの経過時間に応じた遡り量の再生あるいはあらすじ表示を行う。一方、番組のジャンルが歌番組、ニュース等のタイプ（２）の番組である場合には、歌の先頭部分、ニュースの区切れ等から再生を開始する。
【０００５】
特許文献２の装置は、書籍データ格納部中の電子書籍データが表示部に表示されている場合に、電源がＯＦＦされると、そのとき表示されていたページ情報がページ情報記憶部に記憶される。その後の電源ＯＮ時の読書再開時には、経過時間計算部により読書中断時から読書再開時までの経過時間の長さが計算されて、得られた経過時間の長さに応じて、ページ情報記憶部中の読書中断されたページ情報に対応の書籍データの部分までのあらすじデータが、経過時間に応じたレベルの詳細さで表示部に表示される。
【先行技術文献】
【特許文献】
【０００６】
【特許文献１】特開２００１−２８５７６０号公報（２００１年１０月１２日公開）
【特許文献２】特開２００１−２２２５４０号公報（２００１年８月１７日公開）
【発明の概要】
【発明が解決しようとする課題】
【０００７】
しかしながら、上述の従来技術は、提示するタイミングがあらかじめ決められている。本来、メディア（電子文章データ、映画、ゲームなど）の個々の作品によって、あらすじを閲覧したいと感じるタイミングは異なる。例えば、小説によっても難解な内容の作品もあればテンポ良く読み進めることができる作品もある。ところが、従来技術ではこの点が考慮されていない。また、従来技術では、あらすじが不要な場合にも表示される可能性がある。
【０００８】
また、例えば、書籍などでは上巻、下巻のように続きものの作品があるが、このような作品を電子書籍で閲覧する場合において、上巻を閲覧した後に、電源をＯＦＦしてしばらく経った後で下巻を閲覧しても上巻のあらすじは表示されない。つまり、シリーズものの作品であっても個々の作品が独立して扱われる。そのため、しばらく時間が経ってから下巻を閲覧する場合において、上巻の内容を知るためには、閲覧者は上巻を再び閲覧し直すしかない。
【０００９】
以上のことから、閲覧を中断して再開する場合において、作品ごとに適したあらすじの表示（提示）タイミングを決定する技術の開発が渇望されている。
【課題を解決するための手段】
【００１０】
本発明は、上記の課題に鑑みて為されたものであり、その目的は、作品ごとに適したあらすじの提示タイミングを判定して自動であらすじを提示するあらすじ提示システム、サーバーおよびメディア提示装置を提供することにある。
【００１１】
そこで、本発明に係るあらすじ提示システムは、上記の課題を解決するために、
メディアを提示するメディア提示装置と、サーバーとを備えているあらすじ提示システムであって、
上記サーバーは、
ネットワークを介して上記メディア提示装置に設けられた通信手段と通信するサーバー通信手段と、
メディア提示装置に提示されているメディアに関して、当該メディアの識別情報と、当該提示されているメディアの閲覧者による閲覧中断の日時を示す情報と、中断終了の日時を示す情報と、当該メディアのあらすじがメディア提示装置に提示されるよう当該閲覧者が当該中断終了以後に当該メディア提示装置を操作したか否かを示す情報とを含む閲覧操作記録を、複数の上記メディア提示装置から取得する第一取得手段と、
上記第一取得手段が取得した上記閲覧操作記録に基づいて、閲覧中断期間と、メディアのあらすじが中断終了以後の所定時間内にメディア提示装置に提示されるようにメディア提示装置を操作した閲覧者数とを統計化して、中断終了に際して上記あらすじを自動的にメディア提示装置に提示させる場合の当該閲覧中断期間の長さに関する統計情報をメディアごとに作成する統計手段と、
或るメディア提示装置に提示されている或るメディアの識別情報と、当該或るメディアの閲覧者による閲覧中断の日時を示す情報と、中断終了の日時を示す情報とを或るメディア提示装置から取得する第二取得手段と、
上記統計手段の上記統計情報と、上記第二取得手段が取得した情報とに基づいて、第二取得手段から取得される中断終了に際して上記あらすじを自動的に上記メディア提示装置に提示させるか否かを判定する判定手段と、
を備え、
上記メディア提示装置は、
メディアを提示するメディア提示手段と、
あらすじを提示するあらすじ提示手段と、
上記メディア提示手段に提示された上記メディアを閲覧する閲覧者が、当該閲覧の中断を操作する際および当該中断を終了する際に操作する操作手段であって、当該メディアのあらすじを上記あらすじ提示手段に提示するために当該閲覧者が操作する操作手段と、
上記操作手段の操作結果に基づいて、上記メディアの識別情報と、上記閲覧を中断した日時を示す情報と、当該中断を終了した日時を示す情報とを、記録する記録手段と、
上記操作手段の操作結果および上記記録手段の記録結果を上記サーバー通信手段へ送信する上記通信手段であって、上記サーバーの上記判定手段の判定結果を上記サーバー通信手段から受信する上記通信手段と、
を備えていることを特徴としている。
【００１２】
上記の構成によれば、作品ごとにあらすじを最適のタイミングで自動提示することが可能となる。本発明の構成によれば、サーバーの統計手段により、複数の閲覧者から各閲覧者が閲覧しているメディア（例えば小説）ごとに、いつ中断し、どれくらいの期間中断し、再開後にあらすじ提示を希望するか（手動によるあらすじ提示操作をしたか）の情報を集計して、統計化する。これにより、メディア（例えば小説）ごとに、どの程度の中断期間をおいて再開した場合にあらすじを閲覧したいと思うかの統計情報が得られる。そこで、この統計情報に基づいて、或る作品について、或る期間の中断をおけば、再開後にユーザーが手動で操作せずとも自動であらすじが提示されるので、閲覧者に対して快適な閲覧再開環境を提供することができる。
【００１３】
また、本発明に係る第２のあらすじ提示システムは、上記の課題を解決するために、
メディアを提示するメディア提示装置と、サーバーとを備えているあらすじ提示システムであって、
上記サーバーは、
ネットワークを介して上記メディア提示装置に設けられた通信手段と通信するサーバー通信手段と、
メディア提示装置に提示されているメディアに関して、当該メディアの識別情報と、当該提示されているメディアの閲覧者による閲覧中断の日時を示す情報と、中断終了の日時を示す情報と、当該メディアのあらすじがメディア提示装置に提示されるよう当該閲覧者が当該中断終了以後に当該メディア提示装置を操作したか否かを示す情報とを含む閲覧操作記録を、複数の上記メディア提示装置から取得する第一取得手段と、
上記第一取得手段が取得した上記閲覧操作記録に基づいて、閲覧中断期間と、メディアのあらすじが中断終了以後の所定時間内にメディア提示装置に提示されるようにメディア提示装置を操作した閲覧者数とを統計化して、当該中断終了に際して上記あらすじを自動的にメディア提示装置に提示させる場合の当該閲覧中断期間の長さに関する統計情報をメディアごとに作成する統計手段と、
を備え、
上記メディア提示装置は、
メディアを提示するメディア提示手段と、
あらすじを提示するあらすじ提示手段と、
上記メディア提示手段に提示された上記メディアを閲覧する閲覧者が、当該閲覧の中断を操作する際および当該中断を終了する際に操作する操作手段であって、当該メディアのあらすじを上記あらすじ提示手段に提示するために当該閲覧者が操作する操作手段と、
上記操作手段の操作結果に基づいて、上記メディアの識別情報と、上記閲覧を中断した日時を示す情報と、当該中断を終了した日時を示す情報とを、記録する記録手段と、
上記操作手段の操作結果および上記記録手段の記録結果を上記サーバー通信手段へ送信する上記通信手段であって、上記サーバーの上記統計手段の上記統計情報を上記サーバー通信手段から受信する上記通信手段と、
上記メディア提示手段に提示されている或るメディアの識別情報と、当該或るメディアを閲覧している閲覧者による閲覧中断の日時を示す情報と、中断終了の日時を示す情報とを上記記録手段から取得するとともに、上記サーバーの上記統計手段から上記統計情報を取得する第二取得手段と、
上記第二取得手段が取得した情報に基づいて、当該第二取得手段から取得される中断終了に際して上記あらすじを自動的に上記あらすじ提示手段に提示させるか否かを判定する判定手段と、
を備えていることを特徴としている。
【００１４】
上記の構成によれば、作品ごとにあらすじを最適のタイミングで自動提示することが可能となる。本発明の構成によれば、サーバーの統計手段により、複数の閲覧者から各閲覧者が閲覧しているメディア（例えば小説）ごとに、いつ中断し、どれくらいの期間中断し、再開後にあらすじ提示を希望するか（手動によるあらすじ提示操作をしたか）の情報を集計して、統計化する。これにより、メディア（例えば小説）ごとに、どの程度の中断期間をおいて再開した場合にあらすじを閲覧したいと思うかの統計情報が得られる。そこで、この統計情報に基づいて、或る作品について、或る期間の中断をおけば、再開後にユーザーが手動で操作せずとも自動であらすじが提示されるので、閲覧者に対して快適な閲覧再開環境を提供することができる。
【００１５】
また本発明に係る第１および第２のあらすじ提示システムの一形態は、上記の構成に加えて、
上記記録手段は、閲覧を中断したときのメディアにおける中断箇所を示す情報も記録し、
上記第一取得手段は、上記複数のメディア提示装置から上記中断箇所を示す情報も受信し、
上記統計手段は、メディアごとに、上記中断箇所と、上記閲覧の中断期間と、当該中断期間の終了時点から所定時間内に上記あらすじを閲覧者が手動でメディア提示装置に提示させた閲覧者数とを統計化して、当該中断の終了に際して上記あらすじを自動的にメディア提示装置に提示させる場合の当該中断期間の長さに関する統計情報をメディアごとに作成する、
ことが好ましい。
【００１６】
上記の構成によれば、上述の効果に加えて、中断位置（電子書籍ならばページ番号）を判定材料に加えることで、閲覧済の部分があまり多くない場合、すなわち、ページ位置（ページ番号）が比較的少ない（小さい）場合には、閲覧済の部分に戻って閲覧し直すことが困難ではなく、あらすじの自動提示は不要であるという閲覧者のニーズに応えることができる。そのため、第２ページまでしか読んでいないような場合に中断再開後にあらすじが自動提示されて閲覧者に煩わしさを感じさせることなく、より一層快適な閲覧環境を提供することが可能となる。
【００１７】
また本発明に係る第１および第２のあらすじ提示システムの一形態は、上記の構成に加えて、
上記統計手段は、
閲覧者によるあらすじ提示の操作のうち、中断終了に関連している操作であるものだけを選別する選別部と、
あらすじ提示の操作を行った閲覧者のうち、上記選別部で選別した操作をおこなった閲覧者数を、当該あらすじ提示の操作を行った閲覧者の総数で徐算した値であるあらすじ提示率を求めるあらすじ提示率算出部と、
上記あらすじ提示率算出部の上記あらすじ提示率と、上記第一取得手段が取得した上記閲覧操作記録に基づく上記閲覧中断期間とを対応させたあらすじ提示率データを作成するあらすじ提示率データ作成部と、
を有しており、
上記判定手段は、
上記第二取得手段が取得した情報から閲覧中断期間を求める期間算出部と、
上記期間算出部の上記閲覧中断期間に基づいて上記あらすじ提示率データから或るあらすじ提示率を取得するあらすじ提示率取得部と、
上記或るあらすじ提示率が閾値以上であるか否かを判定して、当該閾値以上であれば、上記第二取得手段から取得される中断終了に際して上記あらすじを自動的に提示させる判定部と、
を有している、
ことが好ましい。
【００１８】
上記の構成によれば、作品ごとにあらすじを最適のタイミングで自動提示することが可能である。
【００１９】
また本発明に係る第１および第２のあらすじ提示システムの一形態は、上記の構成に加えて、
上記メディアは、電子書籍とすることができる。
【００２０】
また、本発明に係るサーバーは、上記の課題を解決するために、
メディア提示装置と通信するサーバーであって、
ネットワークを介して上記メディア提示装置に設けられた通信手段と通信するサーバー通信手段と、
メディア提示装置に提示されているメディアに関して、当該メディアの識別情報と、当該提示されているメディアの閲覧者による閲覧中断の日時を示す情報と、中断終了の日時を示す情報と、当該メディアのあらすじがメディア提示装置に提示されるよう当該閲覧者が当該中断終了以後に当該メディア提示装置を操作したか否かを示す情報とを含む閲覧操作記録を、複数の上記メディア提示装置から取得する第一取得手段と、
上記第一取得手段が取得した上記閲覧操作記録に基づいて、閲覧中断期間と、メディアのあらすじが中断終了以後の所定時間内にメディア提示装置に提示されるようにメディア提示装置を操作した閲覧者数とを統計化して、中断終了に際して上記あらすじを自動的にメディア提示装置に提示させる場合の当該閲覧中断期間の長さに関する統計情報をメディアごとに作成する統計手段と、
或るメディア提示装置に提示されている或るメディアの識別情報と、当該或るメディアの閲覧者による閲覧中断の日時を示す情報と、中断終了の日時を示す情報とを或るメディア提示装置から取得する第二取得手段と、
上記統計手段の上記統計情報と、上記第二取得手段が取得した情報とに基づいて、第二取得手段から取得される中断終了に際して上記あらすじを自動的に上記メディア提示装置に提示させるか否かを判定する判定手段と、
を備えていることを特徴としている。
【００２１】
上記の構成によれば、統計手段により、複数の閲覧者から各閲覧者が閲覧しているメディア（例えば小説）ごとに、いつ中断し、どれくらいの期間中断し、再開後にあらすじ提示を希望するか（手動によるあらすじ提示操作をしたか）の情報を集計して、統計化する。これにより、メディア（例えば小説）ごとに、どの程度の中断期間をおいて再開した場合にあらすじを閲覧したいと思うかの統計情報が得られる。そこで、この統計情報に基づけば、このサーバーと通信するメディア提示装置（例えば電子書籍端末）は、提示している或る作品について、ユーザーが或る期間の中断をおけば、再開後にユーザーが手動で操作せずとも自動であらすじが提示されるので、閲覧者に対して快適な閲覧再開環境を提供することができる。
【００２２】
すなわち、上記の構成によれば、作品ごとにあらすじを最適のタイミングで自動提示することが可能となる。
【００２３】
また、本発明に係るメディア提示装置は、上記の課題を解決するために、
上記構成を具備するサーバーと通信するメディア提示装置であって、
メディアを提示するメディア提示手段と、
あらすじを提示するあらすじ提示手段と、
上記メディア提示手段に提示された上記メディアを閲覧する閲覧者が、当該閲覧の中断を操作する際および当該中断を終了する際に操作する操作手段であって、当該メディアのあらすじを上記あらすじ提示手段に提示するために当該閲覧者が操作する操作手段と、
上記操作手段の操作結果に基づいて、上記メディアの識別情報と、上記閲覧を中断した日時を示す情報と、当該中断を終了した日時を示す情報とを、記録する記録手段と、
上記操作手段の操作結果および上記記録手段の記録結果を上記サーバー通信手段へ送信する上記通信手段であって、上記サーバーの上記判定手段の判定結果を上記サーバー通信手段から受信する上記通信手段と、
を備えていることを特徴としている。
【００２４】
上記の構成によれば、サーバーの統計手段により、複数の閲覧者から各閲覧者が閲覧しているメディア（例えば小説）ごとに、いつ中断し、どれくらいの期間中断し、再開後にあらすじ提示を希望するか（手動によるあらすじ提示操作をしたか）の情報を集計して、統計化する。これにより、メディア（例えば小説）ごとに、どの程度の中断期間をおいて再開した場合にあらすじを閲覧したいと思うかの統計情報が得られる。そこで、この統計情報に基づいて、或る作品について、或る期間の中断をおけば、再開後にユーザーが手動で操作せずとも自動であらすじが提示されるので、閲覧者に対して快適な閲覧再開環境を提供することができる。
【００２５】
すなわち、本発明によれば、作品ごとにあらすじを最適のタイミングで自動提示するメディア提示装置を提供することが可能となる。
【発明の効果】
【００２６】
本発明によれば、作品ごとに適したあらすじの提示タイミングを判定して自動であらすじを提示するあらすじ提示システム、サーバー、および、メディア提示装置を提供することができる。
【図面の簡単な説明】
【００２７】
【図１】本発明におけるあらすじ提示システムの一形態の要部構成を示すブロック図である。
【図２】図１に示すあらすじ提示システムを構築している電子書籍端末でおこなわれる操作の一つを模式的に示す図である。
【図３】図１に示すあらすじ提示システムを構築しているサーバーが閲覧情報データベースを作成する際の処理を示すフローチャートである。
【図４】図１に示すあらすじ提示システムを構築しているサーバーでおこなう処理の一部を模式的に示す図である。
【図５】図１に示すあらすじ提示システムを構築しているサーバーでデータベース化される閲覧情報データベースの構成を模式的に示す図である。
【図６】図１に示すあらすじ提示システムを構築しているサーバーでデータベース化されるあらすじ提示率データベースの構成を模式的に示す図である。
【図７】図１に示すあらすじ提示システムにおいてあらすじ提示の要否がサーバーにおいて判定されてその判定結果を電子書籍端末が取得する一連の流れを模式的に示した図である。
【図８】図１に示すあらすじ提示システムを構築しているサーバーにおいておこなわれるあらすじ提示判定の処理を示すフローチャートである。
【図９】図１に示すあらすじ提示システムを構築しているサーバーにおいておこなわれるあらすじ提示判定の結果を受けてあらすじが自動的に提示される場合と提示されない場合とを表した図である。
【図１０】図１に示すあらすじ提示システムを構築しているサーバーにおいておこなわれるあらすじ提示判定の結果を受けてあらすじが自動的に提示される場合の提示形態を例示した図である。
【図１１】図１に示すあらすじ提示システムのあらすじ提示判定とあらすじ提示学習との関係を示す図である。
【図１２】図１に示すあらすじ提示システムのあらすじ提示判定において閲覧を中断した中断位置であるページ数と、閲覧者が手動であらすじ提示したあらすじ提示タイミングとの関係を示す図である。
【図１３】図１に示すあらすじ提示システムを構築しているサーバーが閲覧情報データベースを作成する際の処理の別形態を示すフローチャートである。
【図１４】図１３に示すフローチャートの処理によってサーバーがデータベース化するあらすじ提示率データベースの構成を模式的に示す図である。
【図１５】図１に示すあらすじ提示システムを構築しているサーバーが図１４に示す提示率データベースを用いておこなうあらすじ提示判定の処理を示すフローチャートである。
【発明を実施するための形態】
【００２８】
〔実施形態１〕
本発明に係るあらすじ提示システムの一実施形態について、図１から図１１に基づいて説明する。
【００２９】
なお、本実施形態では、本発明に係るメディア提示装置として電子書籍端末を例示して説明するが、本発明に係るメディア提示装置は電子書籍端末に限定されるものではない。また、本実施形態では、電子書籍端末を用いて小説を読む態様を例に挙げて説明するが、当然のことながら小説に限定されるものではない。なお、以下では、「読む」ことを「閲覧する」と表現し、閲覧を一旦止めることを「（閲覧を）中断する」と表現し、中断を終了して再び閲覧をすることを「（閲覧を）再開する」と表現する。
【００３０】
図１は、本実施形態のあらすじ提示システムの要部構成を示すブロック図である。図１に示すように、本実施形態のあらすじ提示システム５０は、電子書籍端末１０（メディア提示装置）と、サーバー２０とを備えている。また、電子書籍端末１０と、サーバー２０とは、ネットワーク３０によって互いに通信可能である。
【００３１】
（あらすじ提示システム５０の利用形態）
本実施形態のあらすじ提示システム５０は、電子書籍端末１０によって小説を閲覧しているユーザーが、閲覧を一時中断した後に閲覧を再開すると、閲覧中の小説に適した提示タイミングで閲覧済の内容のダイジェスト（あらすじ）を電子書籍端末１０に自動的に提示（表示）するシステムである。特に特徴的な点としては、その提示タイミングを、その小説を閲覧し手動であらすじ提示操作をおこなった多数の閲覧者から集計し統計をとって決定している点にある。そのため、本実施形態のあらすじ提示システム５０は、電子書籍端末１０（メディア提示装置）と、あらすじを電子書籍端末１０に自動的に提示（表示）するかを判定するサーバー２０とを備えている。
【００３２】
（電子書籍端末１０の構成）
電子書籍端末１０は、図１に示すように、表示部１１（メディア提示手段、あらすじ提示手段）と、操作部１２（操作手段）と、端末通信部１３（通信部）と、管理部１４（記録手段）とを有している。
【００３３】
表示部１１は、表示パネルであり、液晶表示パネルや有機ＥＬパネルなどの従来周知の構成することができる。表示部１１には、小説データを表示するほか、後述するあらすじなどを表示することができる。
【００３４】
操作部１２は、ユーザーにより操作される部分であり、例えばボタンの形態で実現される。ユーザーは、このボタンを押下することによって所望の操作を実現することができる。しかしながら、本発明はボタンの形態に限定されるものではない。本実施形態では、表示部１１に表示された小説の閲覧の中断する場合、閲覧を再開する場合、ユーザーが手動であらすじを表示部１１に表示する場合などに、この操作部１２がユーザーにより操作される。
【００３５】
なお、操作部１２の全てまたは一部の機能を表示部１１上で実現してもよい。これは、以下に説明するようなタッチパネルの形態によって実現することができる。
【００３６】
ここで図２は、ユーザーが操作部１２を操作して表示部１１にあらすじを表示する（つまり手動であらすじを表示する）場合の表示部１１の状態変化を示す図である。図２の左側の電子書籍端末１０は、表示部１１に小説データ（小説の本文）が表示されている。次に、ユーザーが操作部１２のボタンを押下するか、あるいは表示部１１の画面をタップして操作部１２を操作すると、図２の中央に示すように電子書籍端末１０の表示部１１にあらすじ表示ボタンが現れる。このあらすじ表示ボタンをユーザーがタッチすると、図２の右側に示すように表示部１１にユーザーが閲覧済の内容のあらすじが表示される。
【００３７】
閲覧済の内容のあらすじは、中断時または中断直前の閲覧位置（閲覧ページ）に基づいたあらすじデータをサーバーから取得して表示部１１に表示することができる。あるいは、メディアデータ内に小説の本文データとともにあらすじデータが複数種類格納されており、それを中断時または中断直前の閲覧位置（閲覧ページ）に基づいて適切なあらすじデータを選択して表示部１１に表示してもよい。もしくは、中断時または中断直前の閲覧位置（閲覧ページ）に基づいて、管理部１４があらすじを作成してそれを表示部１１に表示してもよい。
【００３８】
端末通信部１３は、サーバー２０と通信する機能を有し、表示部１１、操作部１２および管理部１４に接続している。本実施形態の電子書籍端末１０は、サーバーから小説データを入手することが可能であるので、端末通信部１３がサーバーから小説データを取得して、当該小説データを表示部１１に表示することができる。また、詳細は後述するが、本実施形態では、ユーザーが操作部１２を操作してあらすじを手動で表示部１１に表示させるとその情報がサーバー２０内においてデータベース化される。そのため、手動であらすじを表示させた際にはその情報が端末通信部１３およびネットワーク３０を介してサーバー２０に送信される。
【００３９】
管理部１４は、メモリを有しており、ユーザーが操作部１２を操作して小説の閲覧を開始した時刻、中断した時刻、中断したページ位置（中断ページ番号ともいう）（中断箇所）、再開した時刻、あらすじを手動で表示部１１に表示させる際の操作時刻などを記憶する。さらに、複数のメディアを保存する役割を担う。ここで、複数のメディアとは、小説、ゲーム、映画などが挙げられるほか、小説でも、作品Ａ、作品Ｂ、作品Ｃという異なる小説などを保存し得る。以下に詳述するように、サーバー２０において作成される閲覧情報データベースを作成するための各種情報は、表示部１１および操作部１２から管理部１４に送られて管理部１４において一旦記憶された後、端末通信部１３が管理部１４から当該各種情報を取得してサーバー２０に送信する。
【００４０】
以上が電子書籍端末１０の構成であるが、以上の説明は上記した構成要素以外の構成を電子書籍端末１０が具備することを排除するものではない。上記した構成要素以外の構成を電子書籍端末１０に設けることも可能である。
【００４１】
（サーバー２０の構成）
サーバー２０は、電子書籍端末１０にあらすじを自動的に表示（提示）するかを判定するための判定基準を定めて、当該基準に基づいて判定をおこなう。
【００４２】
本発明の特徴点の一つは、閲覧の中断時刻および再開時刻と、ユーザーが手動であらすじを表示した時刻とを、複数のユーザーおよび／または複数のメディア提示装置（本実施形態の場合は電子書籍端末１０）から集めて、メディアごと（作品ごと）に、閲覧再開後の所定期間内にあらすじを手動で表示したあらすじ表示率（あらすじ提示率）の統計をとり、その統計結果に基づいて当該判定の基準を定める点にある。
【００４３】
そのため、本実施形態では、サーバー２０は、サーバー通信部２１（サーバー通信手段）と、統計部２２（統計手段、第一取得手段、選別部、提示率算出部、提示率データ作成部）と、あらすじ表示判定部２３（判定手段、第二取得手段、期間算出部、提示率取得部、判定部）と、閲覧情報データベース２４と、あらすじ表示率データベース２５とを有している。
【００４４】
サーバー通信部２１は、ネットワーク３０によって電子書籍端末１０の端末通信部１３と通信可能な構成である。サーバー通信部２１は、電子書籍端末１０での手動によるあらすじ表示の情報、中断時刻および再開時刻などを電子書籍端末１０から取得する。また、サーバー通信部２１は、サーバー２０内で生成されるあらすじ表示判定結果であるあらすじ表示フラグを電子書籍端末１０へ送信する。
【００４５】
統計部２２は、サーバー通信部２１が電子書籍端末１０から取得した電子書籍端末１０での手動によるあらすじ表示の情報、中断時刻および再開時刻を取得して、閲覧情報データベース２４に蓄積する。
【００４６】
ここで、図３は、閲覧情報データベース２４の一例を示している。図３では、同一のメディア（同一作品）を異なる電子書籍端末において閲覧している複数のユーザーからの閲覧操作情報がリアルタイムでサーバーに送られて蓄積される様子を示している。図３に示すように、閲覧情報データベース２４には、ユーザーＩＤ、メディアＩＤ、閲覧開始や中断や再開などの閲覧操作がおこなわれた時刻（日時）、それらの操作がおこなわれたメディアのページ位置（ページ番号）、および、その操作のタイプを含む閲覧操作情報が、リアルタイムで各電子書籍端末から送られて蓄積される。なお、ユーザーＩＤとは、ユーザーを特定する識別情報である。メディアＩＤとは、例えば本実施形態のように書籍の場合には、書籍を一意に特定する情報であり、ＩＳＢＮ、書籍名、書籍ＩＤなどがある。なお、本実施形態では、ユーザーＩＤは必須の集計項目ではない。
【００４７】
統計部２２は、閲覧情報データベース２４に蓄積した閲覧操作情報に、ユーザーの手動によるあらすじ表示が含まれる場合、そのあらすじ表示がそのユーザーが閲覧を中断していたことに因るものか否かを判断する。
【００４８】
この判断は、基本的には、再開から、手動によるあらすじ表示操作までの期間（時間）に基づく。図４はこれを示した図である。手動によるあらすじ表示操作が再開から比較的短い時間でおこなわれた場合は、そのあらすじ表示は閲覧を中断したことに因るものである、つまり、あらすじ表示が再開と関連していると判断する。これは、中断したことでユーザーの記憶が薄れ、これを蘇らせたいという意思が閲覧を再開したユーザーに生じたことに因るものであると判断する。一方、手動によるあらすじ表示操作が再開から比較的長い時間をあけておこなわれた場合は、あらすじ表示が再開と関連していないと判断する。統計部２２は、この判断処理をおこない、例えば図３中の（ｉ）で示す閲覧操作情報のあらすじ表示（手動による表示）は、直前の開始（再開）と関連があると判断する。一方、図３中の（ｉｉ）で示すあらすじ手動表示は直前の開始（再開）と関連がないと判断する。
【００４９】
より厳密には、あらすじ表示がそのユーザーが閲覧を中断していたことに因るものか否かを判断は、再開からあらすじ表示までの時間が短く、且つ、再開したページ位置（ページ番号）と、あらすじ表示操作をおこなったページ位置とが近い場合に、あらすじ表示がそのユーザーが閲覧を中断していたことに因るものであるとみなすことができる。これに対して、あらすじ表示がそのユーザーが閲覧を中断していたことに因るものか否かを判断は、再開からあらすじ表示までの時間が短いものの、再開したページ位置（ページ番号）と、あらすじ表示操作をおこなったページ位置とが遠い場合には、再開後に違うページ（章、節）に移動して、そこであらすじ表示操作をおこなったと考えられるため、再開との関連性は低いといえる。一方、再開したページ位置（ページ番号）と、あらすじ表示操作をおこなったページ位置とが近いものの、再開からあらすじ表示までの時間が長い場合には、表示したページが非常に分量が多いため、読み進めてからあらすじが必要になった可能性がある。一方で、再開後、放置していた可能性もある。よって、再開との関連性は明確には判断できないといえる。
【００５０】
更に、統計部２２は、この判断結果に基づいて、手動によるあらすじ表示が再開（中断終了）と関連しているものだけを選別してあらすじ表示率データを作成する。作成されたあらすじ表示率データは、あらすじ表示率データベース２５に蓄積される。詳細は後述する。
【００５１】
このように統計部２２では、手動によるあらすじ表示、中断時刻および再開時刻などの情報を収集することによって、作品（メディアＩＤ）ごとに、あらすじを自動表示する最適なタイミングを学習する。学習フローの詳細については後述する。
【００５２】
あらすじ表示判定部２３は、ユーザーが手動であらすじ表示操作をおこなうのではなく、ユーザーは小説の本文を閲覧して、或る時点で閲覧を中断した後、中断を終了して閲覧を再開した場合に、ユーザーの手動ではなく自動であらすじを表示するか否かを判定する。
【００５３】
あらすじ表示判定部２３は、判定をおこなうために電子書籍端末１０からの閲覧操作情報（閲覧再開情報）をサーバー通信部２１から取得する。閲覧操作情報（閲覧再開情報）には、閲覧の開始時刻、中断時刻および再開時刻などが含まれる。そして、後述する処理をおこないその結果が閾値以上であればあらすじを自動表示することを示すフラグをたてて、このフラグをサーバー通信部２１から電子書籍端末１０側へ送信する。一方、結果が閾値未満であればあらすじを自動表示しないことを示すフラグをたてて、このフラグをサーバー通信部２１から電子書籍端末１０側へ送信する。
【００５４】
このようにあらすじ表示判定部２３では、電子書籍端末１０からの閲覧操作情報と、あらすじ表示率データベース２５と、閾値とに基づいてあらすじを自動表示するか否かを判定する。この判定フローの詳細については後述する。
【００５５】
以下に、統計部２２においておこなわれる学習フローの詳細と、あらすじ表示判定部２３においておこなわれる判定フローの詳細とについて説明する。
【００５６】
（統計部２２の学習フロー）
統計部２２がおこなう学習フローについて、図５を用いて説明する。
【００５７】
統計部２２は、電子書籍端末１０からサーバー通信部２１に送信された閲覧操作情報を取得する。この閲覧操作情報には、ユーザーＩＤおよび小説のメディアＩＤ（メディアの識別情報）が含まれるとともに、この識別情報に関連付けられた、小説の閲覧者による閲覧中断の日時を示す情報か、中断終了の日時を示す情報か、もしくは、当該小説のあらすじが電子書籍端末１０の表示部１１に提示されるよう閲覧者が操作部１２を操作したか否かを示す手動によるあらすじ表示操作の情報（操作結果）かが含まれる。
【００５８】
そして、統計部２２は、この閲覧操作情報に、手動によるあらすじ表示操作の情報を受信する（ステップＳ１）と、続いて、その手動によるあらすじ表示操作の情報に関連付けられているユーザーＩＤとメディアＩＤとから、この手動によるあらすじ表示操作の情報を受信する以前に、同一のユーザーＩＤおよびメディアＩＤに対応付けられた中断時刻があるか閲覧情報データベース２４を検索し（ステップＳ２）、中断の有無を判定（ステップＳ３）する。中断が無ければ学習不要とする。一方、中断時刻を検索することができ、中断があったことが判れば、続くステップに移行する。
【００５９】
続くステップでは、検索した中断時刻が含まれる閲覧操作情報から、その中断時のページ位置と、中断時刻を取得する（ステップＳ４）。
【００６０】
続いて、ステップＳ４で取得した中断時刻と、ステップＳ１の手動によるあらすじ表示操作の時刻との時間差が所定の値以内であるか否かを判定する（ステップＳ５）。当該時間差が所定の値以内に無ければ、学習不要となる。一方、ステップＳ５において当該時間差が所定の値以内にあれば、続くステップに移行する。所定の値は、サーバーの固定値とすることができるがこれに限定されるものではない。
【００６１】
続くステップでは、中断ページ位置（中断箇所）とあらすじ表示位置が近いか否かを判定する（ステップＳ６）。ここで、中断ページ位置とは、中断した時点で表示部１１（図１）に表示されているページ位置（ページ番号）を示す。また、あらすじ表示位置とは、ステップＳ１の手動によるあらすじ表示操作によるあらすじ表示の対象となるページの最後尾のページ位置（最後尾のページ位置以前のページが既読であるか否かを問わない）を示す。中断ページ位置とあらすじ表示位置が近い位置になければ、学習不要となる。一方、中断ページ位置とあらすじ表示位置とが近い位置にあると判定すると、続くステップに移行する。近い位置にあるか否かは、サーバーの固定値と対比することにより判定する。ここまでの処理によって、統計部２２は、閲覧操作情報に含まれていた手動によるあらすじ表示操作は、直前の開始（再開）と関連があると判断する。なお、上述のステップで学習不要と判断された手動によるあらすじ表示操作は、直前の開始（再開）と関連がないという判断結果であると換言することができる。
【００６２】
閲覧操作情報に含まれていた手動によるあらすじ表示操作が、直前の開始（再開）と関連があるという結果になったものについては、続くステップに移行する。
【００６３】
続くステップでは、中断期間を計算する（ステップＳ７）。具体的には、ステップＳ４で取得した中断時刻を含む閲覧操作情報と、ステップＳ１で取得した手動によるあらすじ表示操作の情報を含む閲覧操作情報との間に、再開時刻を含む閲覧操作情報があるので、この再開時刻を含む閲覧操作情報を閲覧情報データベース２４から取得して、再開時刻と中断時刻との差分値を上記中間期間とする。
【００６４】
ここで、統計部２２は、ステップＳ７において得られた中断期間と、メディアＩＤとを関連付けたあらすじ表示率データを作成する。あらすじ表示率データには、更にあらすじ表示数とあらすじ表示率が関連付けられている。あらすじ表示率データは、あらすじ表示率データベース２５に蓄積される。ここで、「あらすじ表示数」とは、或る中断期間をおいて再開した時に手動によるあらすじ表示操作をおこなったユーザー数を示す。また、「あらすじ表示率」とは、あらすじ表示数の累計（或る中断期間より短い中断期間をおいて手動によるあらすじ表示操作をおこなったユーザー数の累計、つまり、閲覧再開時に手動によってあらすじを表示させたユーザー数の累計）を、手動によるあらすじ表示操作の総数（この総数は期間を問わない）で徐算した値である。
【００６５】
続くステップでは、メディアＩＤと中断期間に対応するあらすじ表示数を「１」増やす処理をおこなう（ステップＳ８）。
【００６６】
続いて、メディアＩＤに対応するあらすじ表示率を再計算し、あらすじ表示率データを更新する（ステップＳ９）。
【００６７】
ここまでで学習フローは終了する。図６は、表示率データベース２５の一例である。表示率データベース２５には、メディアＩＤごとに、中断期間と、あらすじ表示数（表示数）と、あらすじ表示率（表示率）とが関連付けられている。なお、図６に示しているのは一部であり、図６に示していない中断時間（とそれに対応するあらすじ表示数とあらすじ表示率）もデータとして蓄積されている。
【００６８】
（あらすじ表示判定部２３の判定フロー）
あらすじ表示判定部２３がおこなうあらすじ自動表示判定フローに関して、以下に説明する。
【００６９】
ここで、本実施形態のあらすじ表示システムにおいて、電子書籍端末１０とサーバー２０との間でおこなわれる、あらすじ自動表示判定に関する概略フローを図７に沿って説明する。
【００７０】
図７に示すように、まず、電子書籍端末１０において閲覧の中断操作がなされると、電子書籍端末１０からサーバー２０に、ユーザーＩＤ、メディアＩＤ、中断時刻および中断ページ位置を含む閲覧操作情報が送られる。
【００７１】
続いて、或る中断期間をおいて、閲覧が再開（中断終了）されると、電子書籍端末１０からサーバー２０に、ユーザーＩＤ、メディアＩＤおよび再開時刻を含む閲覧操作情報（閲覧再開情報）が送られる。この閲覧再開情報には、再開するページ位置は含まれない。再開するページ位置は、あらすじ表示判定部２３において判定（決定）される。
【００７２】
そして、サーバー２０では、あらすじ表示判定部２３が、電子書籍端末１０から送られた閲覧操作情報に基づいて、あらすじを自動表示するか否かの判定をおこなう。
【００７３】
判定結果は、サーバー２０からフラグとして電子書籍端末１０に送られ、あらすじを自動表示することを示すフラグが送られている場合は、閲覧再開された表示部１１にあらすじが自動表示され、あらすじを自動表示しないことを示すフラグが送られている場合は、閲覧再開された表示部１１にはあらすじは表示されず本文のみが表示される。このとき、フラグとともに、再開ページ位置（再開ページ番号）もサーバー２０から電子書籍端末１０に送られる。
【００７４】
図８は、サーバー２０のあらすじ表示判定部２３においておこなわれる判定フローを示すフローチャートである。図８を用いて、あらすじ表示判定部２３の判定フローの詳細を説明する。
【００７５】
あらすじ表示判定部２３は、電子書籍端末１０側において閲覧再開の操作がおこなわれてユーザーＩＤ、メディアＩＤおよび再開時刻を含む閲覧操作情報（閲覧再開情報）が電子書籍端末１０からサーバー２０に送られることによって開始する（ステップＳ１１）。
【００７６】
ステップＳ１１において閲覧再開情報をサーバー２０が受信すると、当該閲覧再開情報に含まれるユーザーＩＤおよびメディアＩＤに基づいて当該再開直前の中断時刻を検索し（ステップＳ１２）、中断の有無を判定（ステップＳ１３）する。もし、中断時刻が検索できなければ、中断は無かったと判断して別ステップ（ステップＳ２０）に移行する。当該別ステップ（ステップＳ２０）では、再開するページ位置を小説の先頭に設置するとともに、あらすじの自動表示を無効化するフラグを生成して（ステップＳ２１）、再開するページ位置とあらすじ表示フラグ（あらすじ自動表示が無効であることを示すフラグ）を、電子書籍端末１０に送信する処理をおこなう。一方、ステップＳ１２において、中断時刻を検索できれば、続くステップＳ１４に移行する。
【００７７】
続くステップＳ１４では、再開直前の中断における中断ページ位置と中断時刻とを取得する。
【００７８】
続いて、再開するページ位置を当該中断ページ位置に設定する（ステップＳ１５）。
【００７９】
続いて、中断期間を計算し（ステップＳ１６）、計算した中断期間とメディアＩＤとに基づいたあらすじ表示率をあらすじ表示率データベース２５から取得する（ステップＳ１７）。
【００８０】
続いて、ステップＳ１７で取得したあらすじ表示率が、閾値未満であるか閾値以上であるかを判定する（ステップＳ１８）。ここで、閾値の決定方法は、（１）サーバー２０での固定値、（２）ユーザーが設定する値、あるいは、（３）ユーザーの傾向による判断が挙げられるが、これらに限定されるものではない。
【００８１】
ステップＳ１７で取得したあらすじ表示率が、閾値未満であれば、あらすじの自動表示を無効化するフラグを生成して（ステップＳ２１）、再開するページ位置とあらすじ表示フラグ（あらすじ自動表示が無効であることを示すフラグ）を、電子書籍端末１０に送信する処理をおこなう。
【００８２】
一方、ステップＳ１７で取得したあらすじ表示率が、閾値以上であれば、あらすじの自動表示を有効化するフラグを生成して（ステップＳ１９）、再開するページ位置とあらすじ表示フラグ（あらすじを自動表示することを示すフラグ）を、電子書籍端末１０に送信する処理をおこなう（ステップＳ２２）。
【００８３】
以上の本実施形態のあらすじ表示システムによれば、作品ごとに、あらすじの自動表示タイミングを最適化している。そのため、例えば、図９に示すように、或る作品（作品α）に固有の閾値Ｘを定めて、作品αの閲覧者（ユーザー）Ａが閲覧を再開したタイミングではあらすじの自動表示はおこなわないものの、閲覧者（ユーザー）Ｂが閲覧を再開したタイミングではあらすじの自動表示をおこなうことができる。仮に、閲覧者（ユーザー）Ａが図９に示している閲覧再開タイミングと同じタイミングで作品αとは異なる別の作品の閲覧を再開したときには、あらすじが自動表示されるかは不明である。作品ごとに固有の閾値が設定されるので、閲覧再開タイミングだけがあらすじ自動表示の有無を判定する判定材料にはならない。
【００８４】
図１０は、あらすじ表示を自動でおこなう場合の、表示形態を示す図であり、図１０（ａ）〜（ｄ）に示すような４つのタイプの表示方法が考えられる。図１０（ａ）は、電子書籍端末１０の表示部１１の表示領域の大部分にあらすじが表示されている。一方、図１０（ｂ）では、表示部１１の表示領域の下側に本文が表示され、上側にあらすじが表示されている。また図１０（ｃ）では、本文が表示されている領域に重畳して最前層にあらすじが表示されている。また図１０（ｄ）では、あらすじ表示ボタンが表示領域に現れるタイプであり、ユーザーの操作により、あらすじが表示される。
【００８５】
最後に、本実施形態では、あらすじ表示判定部２３による判定と、統計部２２による判定とは互いに独立して処理される点について図１１を用いて説明する。
【００８６】
図１１に示すように、閲覧再開情報がサーバー２０に送られて、表示判定部２３によるあらすじ表示判定がおこなわれ、再開ページ位置とフラグがサーバー２０から電子書籍端末１０に送られて閲覧が再開された後、閲覧者（ユーザー）が手動であらすじ表示操作をおこなった場合には、図５に示した学習フローが再度おこなわれる。
【００８７】
（本実施形態の作用効果）
本実施形態のあらすじ表示システムによれば、作品ごとにあらすじを必要とするタイミングであらすじを自動表示することが可能となる。本実施形態によれば、サーバー２０（統計部２２）により、複数のユーザーから各ユーザーが閲覧しているメディア（例えば小説）ごとに、どの位置で中断し、どれくらいの期間中断し、再開後にあらすじ表示を希望するか（手動によるあらすじ表示操作をしたか）の情報を集計して、統計化する。これにより、メディア（例えば小説）ごとに、どの程度の中断期間をおいて再開した場合にあらすじを閲覧したいと思うかの統計データが得られる。そこで、この統計データに基づいて、或る作品について、或る期間の中断をおけば、再開後にユーザーが手動で操作せずとも自動であらすじが表示部１１に表示されるので、ユーザーに対して快適な閲覧再開環境を提供することができる。なお、手動によるあらすじ表示は、常時、操作可能である。そのため、仮に、中断期間の長さがあらすじ自動表示を有効化にする条件を満たさず自動表示されない場合であっても、ユーザーがあらすじを閲覧したいという場合には手動で操作すれば閲覧することができる。
【００８８】
（変形例）
（変形例１）
本実施形態の変形例として、あらすじ表示判定部２３は、小説に前作（前刊、前巻）の情報があれば、閲覧者がその前作の閲覧を終了した時刻を中断時刻として扱って、上述と同様にあらすじ表示判定をおこなってもよい。
【００８９】
このように前作の情報を利用するためには、閲覧操作情報（閲覧再開情報）に含まれるメディアＩＤに、前作の有無を識別できる情報が含まれていればよい。
【００９０】
これにより、前作を閲覧し終えた時点から比較的に長い期間があいて続編（例えば新刊）を閲覧する場合にも、続編の閲覧開始を「閲覧の再開」ととらえて、前作を閲覧し終えた時点から続編の閲覧開始の時点までを「中断期間」として、その長さに応じてあらすじを自動表示するか否かを判定する。
【００９１】
よって、上巻、下巻のように続きものの作品であっても、快適な閲覧環境下で閲覧することができる。
【００９２】
（変形例２）
変形例として、サーバー２０は、閲覧情報データベース２４あるいはあらすじ表示率データベース２５に蓄積されている情報があらすじ表示判定部２３によりおこなわれる判定のための判定材料として十分であるか否かを判定する判断材料判定部を更に備えていてもよい。加えて、サーバー２０は、閲覧再開（開始）しようとしているメディアと同一のシリーズについて閲覧情報データベース２４あるいはあらすじ表示率データベース２５に蓄積されている情報があらすじ表示判定部２３によりおこなわれる判定のための判定材料として十分であるか否かを判断する同一シリーズ判断部とを備えていてもよい。そして、上記判断材料判定部により、閲覧再開しようとしているメディアについて統計部２２により作成された閲覧情報データベース２４あるいはあらすじ表示率データベース２５があらすじ表示判定部２３によりおこなわれる判定のための判定材料として十分でない判定し、且つ、上記同一シリーズ判断部が同一シリーズについて統計部２２により作成された閲覧情報データベース２４あるいはあらすじ表示率データベース２５があらすじ表示判定部２３によりおこなわれる判定のための判定材料として十分であると判断した場合には、この同一シリーズについて統計部２２で作成された情報とそれに対して設定された閾値を使用して、閲覧再開しようとしているメディアについてのあらすじ自動表示の判定をおこなうことができる。
【００９３】
同一シリーズとは、同一ジャンルと換言することができ、例えば、ミステリー系、恋愛系、バラエティー系などのグループに区分したなかで、同一グループに属しているもの同士を同一シリーズとする。
【００９４】
（変形例３）
本変形例のあらすじ表示システムでは、変形例２において説明した同一シリーズ判断部を備えるとともに、同一のシリーズがあると判断された場合、閲覧再開しようとしている作品と当該同一のシリーズの作品とを１つの作品として、当該１作品について統計部２２により作成された情報と、閾値とに基づいて、閲覧再開しようとしている作品のあらすじ自動表示判定をおこなってもよい。
【００９５】
（変形例４）
本変形例のあらすじ表示システムは、サーバーが、閲覧再開しようとしている作品と同一の作者の作品について、統計部２２により作成された情報が存在するか否かを判断する作者同一判断部を備えており、更に、閲覧再開しようとしている作品について統計部２２により作成された閲覧情報データベース２４あるいはあらすじ表示率データベース２５があらすじ表示判定部２３によりおこなわれる判定のための判定材料として十分であるか否かを判断する判断材料判定部を備えることも可能である。
【００９６】
そして、上記判断材料判定部が、閲覧再開しようとしているメディアについて統計部２２により作成された閲覧情報データベース２４あるいはあらすじ表示率データベース２５があらすじ表示判定部２３によりおこなわれる判定のための判定材料として十分でない判定し、且つ、上記作者同一判断部が、閲覧再開しようとしている作品と同一の作者の作品について、統計部２２により作成された情報が存在すると判断した場合であって、且つ、この作者同一の作品について統計部２２により作成された閲覧情報データベース２４あるいはあらすじ表示率データベース２５があらすじ表示判定部２３によりおこなわれる判定のための判定材料として十分であると判断できる場合は、閲覧再開しようとしている作品と同一の作者の作品について統計部２２で作成された情報とそれに対して設定された閾値を使用して、閲覧再開しようとしているメディアについてのあらすじ自動表示の判定をおこなうことができる。
【００９７】
（変形例５）
本変形例のあらすじ表示システムは、サーバーが、メディアと同一の作者の作品があるか否かを判断する作品有無判断部を更に備えており、上記メディアと同一の作者の作品がある場合には、同一の作者の作品の全てを１作品として、当該１作品について統計部２２により作成される情報と、閾値とに基づいて、あらすじ表示判定部２３があらすじ自動表示の判定をおこなうことも可能である。
【００９８】
（変形例６）
上述した実施形態１および各変形例では、サーバー２０にあらすじ自動表示の判定をおこなう手段（あらすじ表示判定部２３）がある。しかしながら、本発明はこれに限定されるものではなく、上記統計部２２によって作成されたあらすじ表示率データベース２５を利用して、電子書籍端末１０があらすじ自動表示の判定をおこなってもよい。
【００９９】
〔実施形態２〕
本発明の他の実施形態について図１２から図１５に基づいて説明すれば、以下のとおりである。なお、本実施形態において説明すること以外の構成は、前記実施形態１と同じである。また、説明の便宜上、前記の実施形態１の図面に示した部材と同一の機能を有する部材については、同一の符号を付し、その説明を省略する。
【０１００】
上述の実施形態１と本実施形態２との相違点は、実施形態１では、ページ位置（ページ番号）があらすじ表示判定部２３による判定材料として使用されていないのに対して、本実施形態２ではページ位置（ページ番号）が当該判定材料として使用する点にある。
【０１０１】
図１２は、閲覧中の小説のページ位置（ページ番号）と、中断時刻から手動であらすじ表示操作した時刻までの時間とを対応付けた表である。図１２のページ位置は、中断ページ位置（＝再開ページ位置）とみなすことができる。また、中断時刻から手動であらすじ表示操作した時刻までの時間は、中断時間とみなすことができる。
【０１０２】
ここで、図１２に示したユーザーＤは、小説の第２２０ページのところで３６時間の中断期間の後に中断を終了して閲覧を再開し、手動によるあらすじ表示操作を行っている。これとは対照的に、中断時刻において第２ページまでしか進んでいないユーザーの多くは中断期間の長さによらず、再開後に手動によるあらすじ表示操作をおこなわない。これは、あまり読み進めていない場合には、ページを戻って読み直すことが困難ではないので、あらすじは不要であると考えるユーザーが多いと考えられる。一方、上述の実施形態１では、この点は考慮していないため、第２ページまでしか読んでいないような場合であっても、あらすじが自動表示される場合があり、ユーザーによってはそれが煩わしく、ストレスになる虞がある。
【０１０３】
そこで、本実施形態２では、あらすじ表示判定部２３によりおこなわれる判定のための判定材料としてページ位置を含める。
【０１０４】
図１３は、本実施形態２のあらすじ表示システムを構築するサーバーの統計部２２においておこなわれる学習フローを示すフローチャートであり、実施形態１では図５と対応している。ここで、上述の実施形態１においても閲覧情報データベース２４には、ページ位置が含まれているので、本実施形態２において閲覧情報データベース２４は実施形態１のそれと変わらない。また、図１２の学習フローでは、実施形態１の図５に示した学習フローのステップＳ１〜ステップＳ７までは同一であるので、ここでの説明を省略する。
【０１０５】
本実施形態では、統計部２２が、ステップＳ７において得られた中断期間と、メディアＩＤと、ページ位置とを関連付けたあらすじ表示率データを作成する。そして、図１２に示す学習フローのステップＳ８´では、統計部２２が、メディアＩＤと中断期間とページ位置に対応するあらすじ表示数を「１」増やす処理をおこなう。そして、続くステップＳ９´では、メディアＩＤに対応するあらすじ表示率を再計算し、あらすじ表示率データを更新する。図１４は、あらすじ表示率データが蓄積された表示率データベース２５´の一例である。表示率データベース２５´には、メディアＩＤごとに、ページ位置（表示ページ位置）と、中断期間と、あらすじ表示数（表示数）と、あらすじ表示率（表示率）とが関連付けられている。
【０１０６】
続いて、あらすじ表示判定部２３の判定フローについて図１５を用いて説明する。図１５は、実施形態１では図８と対応している。ここで、図１５の判定フローでは、実施形態１の図８に示した判定フローのステップＳ１７以外は同一であるので、ここでの説明を省略する。
【０１０７】
本実施形態２の判定フローのステップＳ１７´では、図１４に示した表示率データベース２５´に基づいて、メディアＩＤと、ページ位置と、ステップＳ１６において計算した中断期間とから、あらすじ表示率を取得する。ステップＳ１８では、ステップＳ１７´で取得したあらすじ表示率が、閾値未満であるか閾値以上であるかを判定する。
【０１０８】
ステップＳ１７´で取得したあらすじ表示率が、閾値未満であれば、あらすじの自動表示を無効化するフラグを生成して（ステップＳ２１）、再開するページ位置とあらすじ表示フラグ（あらすじ自動表示が無効であることを示すフラグ）を、電子書籍端末１０に送信する処理をおこなう。
【０１０９】
一方、ステップＳ１７´で取得したあらすじ表示率が、閾値以上であれば、あらすじの自動表示を有効化するフラグを生成して（ステップＳ１９）、再開するページ位置とあらすじ表示フラグ（あらすじを自動表示することを示すフラグ）を、電子書籍端末１０に送信する処理をおこなう（ステップＳ２２）。
【０１１０】
以上の本実施形態のあらすじ表示システムによれば、上述の実施形態１のあらすじ表示システムが奏する効果に加えて、ページ位置を判定材料に加えることで、閲覧済の部分があまり多くない場合、すなわち、ページ位置（ページ番号）が比較的少ない（小さい）場合には、閲覧済の部分に戻って閲覧し直すことが困難ではなく、あらすじは不要であるというユーザーのニーズに応えたあらすじ表示システムを提供することができる。そのため、第２ページまでしか読んでいないような場合にあらすじが自動表示されてユーザーにストレスを感じさせることがなく、より一層快適な閲覧環境下にて閲覧することが可能となる。
【０１１１】
（付記事項）
本発明は、以下の点を特徴としていると換言することができる。
【０１１２】
（１）  すなわち、本発明に係るサーバーは、
メディア提示装置と通信するサーバーであって、
メディア提示装置に提示されているメディアの識別情報と、当該提示されているメディアの閲覧者による閲覧中断時刻の情報と、中断終了時刻の情報と、当該メディアのあらすじがメディア提示装置に提示されるよう当該閲覧者が当該メディア提示装置を操作したか否かを示す情報とを含む閲覧操作記録を取得して、当該閲覧操作記録を統計化して統計情報を作成する統計手段と、
或るメディア提示装置から、或るメディアを識別する情報と、当該或るメディアの閲覧者による閲覧中断の日時を示す情報と、中断終了の日時を示す情報とを取得すると、上記統計手段の上記統計情報に基づいて、当該閲覧中断の終了に際して上記メディア提示装置に当該或るメディアのあらすじを自動提示するか否かを判定する判定手段と、
上記閲覧操作記録を当該メディア提示装置から受信し、上記判定手段の判定結果を上記メディア提示装置に送信するサーバー通信手段と、
を備えていることを特徴としている。
【０１１３】
（２）  また本発明に係るサーバーの一形態は、上記の構成に加えて、
上記判定手段は、上記メディアに前作の情報があれば、上記閲覧者が当該前作の閲覧を終了した時間を、前回の閲覧終了時間として扱い、当該前回の閲覧終了時間に基づいて、上記あらすじの提示可否を判定することが好ましい。
【０１１４】
（３）  また本発明に係るサーバーの一形態は、上記の構成に加えて、
上記統計手段により作成された或るメディアに関する上記統計情報が、上記判定手段によって上記あらすじの提示可否を判定するための判定材料になるか否かを判断する材料判断手段と、
上記或るメディアと同一のシリーズの統計情報があるか否かを判断する同一シリーズ判断手段と、
を更に備えており、
上記判定手段は、上記或るメディアに関する上記統計手段により作成された上記統計情報が上記判定材料にならないという上記材料判断手段の判定結果と、上記同一のシリーズの統計情報があるという上記同一シリーズ判断手段の判断結果とに基づいて、上記或るメディアに関する上記あらすじの自動提示の可否を、上記同一のシリーズの統計情報に基づいて判定することが好ましい。
【０１１５】
（４）  また本発明に係るサーバーの一形態は、上記の構成に加えて、
上記統計手段は、
上記サーバー通信手段が受信した上記閲覧操作記録のメディアと同一のシリーズがあるか否かを判断する同一判断部と、
同一のシリーズがあるという上記同一判断部の判断結果に基づいて、上記サーバー通信部が受信した上記閲覧操作記録のメディアと、当該同一のシリーズとを一つのメディアとして、当該一つのメディアについて上記統計情報を作成する作成部と、
を有しており、
上記判定手段は、上記統計情報に基づいて、上記あらすじを自動提示するか否かを判定することが好ましい。
【０１１６】
（５）  また本発明に係るサーバーの一形態は、上記の構成に加えて、
上記統計手段により作成された或るメディアに関する上記統計情報が、上記判定手段によって上記あらすじの提示可否を判定するための判定材料になるか否かを判断する材料判断手段と、
上記或るメディアの作者と同一の作者のメディアについて上記統計手段が作成した統計情報があるか否かを判断する作者同一判断手段と、
を更に備えており、
上記判定手段は、上記或るメディアに関する上記統計手段により作成された上記統計情報が上記判定材料にならないという上記材料判断手段の判定結果と、上記同一の作者のメディアの上記統計情報があるという上記作者同一判断手段の判断結果とに基づいて、上記或るメディアのあらすじの自動提示の可否を、上記同一の作者の作品の統計情報に基づいて判定することが好ましい。
【０１１７】
（６）  また本発明に係るサーバーの一形態は、上記の構成に加えて、
上記サーバー通信手段が受信した上記閲覧操作記録のメディアと同一の作者のメディアがあるか否かを判断する同一メディア判断手段を更に備えており、
上記統計手段は、上記同一の作者のメディアがあるという上記同一メディア判断手段の判断結果に基づいて、上記作者の全てのメディアを一つのメディアとして、当該一つのメディアの上記統計情報を作成し、
上記判定手段は、上記一つのメディアの上記統計情報に基づいて、上記サーバー通信手段が受信した上記閲覧操作記録のメディアのあらすじの自動提示の可否を判定することが好ましい。
【０１１８】
（７）  また、本発明に係る第一のメディア提示装置は、
メディアを提示する提示手段と、
上記提示手段に提示された上記メディアを閲覧する閲覧者が、当該閲覧の中断を操作する際および当該中断を終了する際に操作する操作手段であって、当該メディアのあらすじを上記提示手段に提示するために当該閲覧者が操作する操作手段と、
上記操作手段の閲覧操作記録を外部のサーバーへ送信する通信手段と、
を備え、
上記通信手段は、上記閲覧操作記録を上記サーバーへ送信して、当該或るメディアの閲覧中断の終了に際して当該或るメディアのあらすじを上記メディア提示装置に自動提示するか否かを上記サーバーが判定した判定結果を受信することを特徴としている。
【０１１９】
（８）  また本発明に係る第一のメディア提示装置の一形態は、上記の構成に加えて、
上記操作手段の上記閲覧操作記録には、上記メディアを識別する情報と、上記閲覧を中断した日時の情報と、当該中断を終了した日時の情報と、閲覧者の操作によるあらすじ提示日時の情報とが含まれることが好ましい。
【０１２０】
（９）  また本発明に係る第一のメディア提示装置の一形態は、上記の構成に加えて、
上記閲覧操作記録には、閲覧開始位置、閲覧終了位置、および、あらすじ提示位置が含まれることが好ましい。
【０１２１】
（１０）  また本発明に係る第一のメディア提示装置の一形態は、上記の構成に加えて、
上記閲覧操作記録には、上記閲覧者を特定する情報が含まれることが好ましい。
【０１２２】
（１１）  また本発明に係る第一のメディア提示装置の一形態は、上記の構成に加えて、
上記閲覧者による或る上記メディアの閲覧回数が一定回数を上回っていることが上記サーバーによって判定されると、当該或るメディアの閲覧中断の終了に際してあらすじを自動提示しないことを示す情報が、上記サーバーから送信されることが好ましい。
【０１２３】
（１２）  また、本発明に係る第二のメディア提示装置は、上記の課題を解決するために、
メディアを提示する提示手段と、
上記提示手段に提示された上記メディアを閲覧する閲覧者が、当該閲覧の中断を操作する際および当該中断を終了する際に操作する操作手段であって、当該メディアのあらすじを上記提示手段に提示するために当該閲覧者が操作する操作手段と、
上記操作手段の閲覧操作記録を外部のサーバーへ送信する通信手段と、
を備え、
上記通信手段は、上記閲覧操作記録を上記サーバーへ送信して、当該或るメディアの閲覧中断の終了に際して当該或るメディアのあらすじを上記メディア提示装置に自動提示するか否かを上記サーバーが判定した判定結果を受信し、
上記操作手段は、上記判定結果を受けてあらすじを上記提示手段に提示するための操作方法を上記提示手段に提示する構成となっている、ことを特徴としている。
【０１２４】
（１３）  すなわち、上記の課題を解決するために、本発明に係る第三のメディア提示装置は、
メディアを提示する提示手段と、
上記提示手段に提示された上記メディアを閲覧する閲覧者が、当該閲覧の中断を操作する際および当該中断を終了する際に操作する操作手段であって、当該メディアのあらすじを上記提示手段に提示するために当該閲覧者が操作する操作手段と、
上記操作手段の閲覧操作記録を外部のサーバーへ送信し、当該サーバーからあらすじ提示に関する情報を受信する通信手段と、
上記閲覧操作記録と、上記あらすじ提示に関する情報とに基づいて、上記提示手段に提示された上記メディアの閲覧中断の終了に際してあらすじの自動提示の実行・非実行を判定する判定手段と、
を備えていることを特徴としている。
【０１２５】
（１４）  また本発明に係る第三のメディア提示装置の一形態は、上記の構成に加えて、
上記閲覧操作記録には、上記メディアを識別する情報と、上記閲覧を中断した日時の情報と、当該中断を終了した日時の情報と、閲覧者の操作によるあらすじ提示日時の情報とが含まれることが好ましい。
【０１２６】
（１５）  また本発明に係る第三のメディア提示装置の一形態は、上記の構成に加えて、
上記閲覧操作記録には、上記閲覧者を特定する情報が含まれることが好ましい。
【０１２７】
なお、本発明は、各実施形態に限定されるものではなく、請求項に示した範囲で種々の変更が可能であり、各実施形態にそれぞれ開示された技術的手段を適宜組み合わせて得られる実施形態についても本発明の技術的範囲に含まれる。
【産業上の利用可能性】
【０１２８】
本発明は、電子書籍データ、映画、テレビゲームなど、閲覧の中断と再開を伴うメディアを提示するメディア提示装置と、サーバーとを備えているシステムに好適に用いることができる。
【符号の説明】
【０１２９】
１０  電子書籍端末
１１  表示部（メディア提示手段、あらすじ提示手段）
１２  操作部（操作手段）
１３  端末通信部（通信手段）
１４  管理部（記録手段）
２０  サーバー
２１  サーバー通信部（サーバー通信手段）
２２  統計部（統計手段、第一取得手段、選別部、提示率算出部、提示率データ作成部）
２３  あらすじ表示判定部（判定手段、第二取得手段、期間算出部、提示率取得部、判定部）
２４  閲覧情報データベース
２５  あらすじ表示率データベース
３０  ネットワーク
５０  あらすじ提示システム
【図１】
2014038373.tif 000003
【図２】
2014038373.tif 000004
【図３】
2014038373.tif 000005
【図４】
2014038373.tif 000006
【図５】
2014038373.tif 000007
【図６】
2014038373.tif 000008
【図７】
2014038373.tif 000009
【図８】
2014038373.tif 000010
【図９】
2014038373.tif 000011
【図１０】
2014038373.tif 000012
【図１１】
2014038373.tif 000013
【図１２】
2014038373.tif 000014
【図１３】
2014038373.tif 000015
【図１４】
2014038373.tif 000016
【図１５】
2014038373.tif 000017